(57)【要約】【課題】  デザイン性、商品性に優れる表示装置を提供する。【解決手段】  光源３と、駆動源４に連結される基部７５側に光源３からの光を受光する受光部７４１を有し、受光部７４１からの光によって長手状に伸びる指示部７４が発光する指針７と、指示部７４によって指示される指標部６２を備えた表示板６と、を備えた指針表示装置において、指針７の観察者側に、基部７５側から先端側に向かうに従って指示部７４の輝度が高くなるように調整する輝度調整部材７３を備える。【選択図】  図２
2009052900.tif 000002
【特許請求の範囲】
【請求項１】
光源と、駆動源に連結される基部側に前記光源からの光を受光する受光部を有し、前記受光部からの光によって長手状に伸びる指示部が発光する指針と、前記指示部によって指示される指標部を備えた表示板と、を備えた指針表示装置において、前記指針の観察者側に、前記基部側から先端側に向かうに従って前記指示部の輝度が高くなるように調整する輝度調整部を備えていることを特徴とする指針式表示装置。
【請求項２】
前記輝度調整部は、前記基部側から前記先端側に向かうに従って厚みが小さくなるように変化する半透過部材からなることを特徴とする請求項１に記載の指針式表示装置。
【請求項３】
前記指示部と前記輝度調整部との間に前記指示部から出射し調整部に至る光の強度を調整する輝度調整層を設けたことを特徴とする請求項１に記載の指針式表示装置。
【請求項４】
前記輝度調整部は、表面に出射光を拡散させる拡散部が形成されていることを特徴とする請求項１に記載の指針式表示装置。
【請求項５】
前記発光指針及び前記表示板の前面側に半透過部材からなる前面パネルを備えていることを特徴とする請求項１に記載の指針式表示装置。
【発明の詳細な説明】
【技術分野】
【０００１】
本発明は、例えば車両に搭載される指針式表示装置に係り、特に、指針の改良に関するものである。
【背景技術】
【０００２】
従来の指針表示装置として、例えば特許文献１に記載のものがある。この指針式表示装置は、光源と、駆動源に連結される基部側に前記光源からの光を受光する受光部を有し、前記受光部からの光によって長手状に伸びる指示部が発光する指針と、前記指示部によって指示される指標部を備えた表示板と、を備えた指針表示装置である。この指針は指示部および基部を有する透光部材と、基部の周囲を覆う指針カバーとを備え、基部は発光ダイオードからの光を基部内に導く受光部と、この受光部に入射した光を指示部側に反射させることで指示部を線状に発光させる反射面とを有するものである。
【特許文献１】特開２００４−３５４２７８号公報
【発明の開示】
【発明が解決しようとする課題】
【０００３】
しかしながら、このような指針式表示装置は、光源からの出射光を受光部で受光し、その光によって透光部材を単に光らせるものであり、単調でデザイン性、商品性に欠けるといった問題点を有している。
【０００４】
本発明は、この点に鑑みなされたものであって、指示部に浮遊感をもたせることができ、指針本体の光らせ方において、新規な見せ方を提供し、デザイン性、商品性に優れた指針式表示装置を提供することを目的とする。
【課題を解決するための手段】
【０００５】
本発明は前記課題を解決するため、光源と、駆動源に連結される基部側に前記光源からの光を受光する受光部を有し、前記受光部からの光によって長手状に伸びる指示部が発光する指針と、前記指示部によって指示される指標部を備えた表示板と、を備えた指針表示装置において、前記指針の観察者側に、前記基部側から先端側に向かうに従って前記指示部の輝度が高くなるように調整する輝度調整部を備えてなるものである。
【０００６】
また本発明は前記輝度調整部が、前記基部側から前記先端側に向かうに従って厚みが小さくなるように変化する半透過部材からなるものである。
【０００７】
また本発明は前記輝度調整部に、前記指示部と前記輝度調整部との間に前記指示部から出射し調整部に至る光の強度を調整する輝度調整層を設けたものである。
【０００８】
また本発明は輝度調整部の観察者側に、光源からの出射光を拡散させる拡散部が施され、前記指示部の明るさの変化を滑らかにし、ぼかした見え方とすることができる。
【０００９】
また本発明は前記指針の観察者側に、半透過部材からなる前面パネルが備えられ、指示部の浮遊感を強調することができる。
【発明の効果】
【００１０】
請求項１に記載の発明は、基部側から先端側に向かうに従って指示部の輝度が高くなるように調整する輝度調整部を指示部上に設けることによって、指示部に浮遊感を持たせることができるため、指針本体の指示部の光らせ方において、新規な見せ方を提供し、デザイン性、商品性に優れる指針式表示装置を提供することができる。
【００１１】
請求項２に記載の発明は、指示部の基部側から先端側に向かうに従って厚みが小さくなるように変化する半透過部材からなることによって、指示部の明るさを変化させ、指示部に浮遊感を持たせることができるため、指針本体の指示部の光らせ方において、新規な見せ方を提供し、デザイン性、商品性に優れる指針式表示装置を提供することができる。
【００１２】
請求項３に記載の発明は、指示部と輝度調整部との間に指示部から出射し輝度調整部に至る光の強度を調整する輝度調整層を備えることで、輝度変化の自由度を向上させることができる。
【００１３】
請求項４に記載の発明は、輝度調整部の表面に出射光を拡散させる拡散部が形成されていることで、指示部の明るさの変化を滑らかにし、かつ、ぼかした見え方にできるため、指示部の浮遊感をより強調することができる。
【００１４】
請求項５に記載の発明は、発光指針及び表示板の前面側に半透過部材からなる前面パネルを備えることで、指示部の浮遊感を強調させることを特徴とするものである。
【発明を実施するための最良の形態】
【００１５】
以下添付図面に基づいて、本発明を適用した指針式表示装置の実施形態を説明する。図１、２は本発明の第一の実施形態を示すもので、図１は指針式表示装置の正面図であり、図２は図１のＡ−Ａ断面図、図３は指示部の輝度勾配を示す説明図である。
【００１６】
図１、図２において指針式表示装置は、裏カバー１と、回路基板２と、光源３と、駆動源４と、ケース５と、表示板６と、指針７と、前面カバー８とを備えている。
【００１７】
裏カバー１は、例えばポリプロピレン等、無着色の合成樹脂からなり、回路基板２の裏側（観察者側とは反対側）を覆うように配置される。
【００１８】
回路基板２は、例えばガラスエポシキ樹脂からなる周知の硬質回路基板であり、駆動源４と光源３に電力供給を行う図示しない回路パターンを有する。
【００１９】
光源３は、回路基板２上（観察者側）に複数設置される、例えばトップビュータイプの発光ダイオードであり白色に発光し、指針７と表示板６とを照明する。
【００２０】
駆動源４は、例えばステッピングモーターを適用でき、指針軸４１を有し、この指針軸４１が指針７と連結される。また駆動源４は、その本体部が回路基板２の背面側に位置し、指針軸４１が回路基板２を貫通して前方側に延びている。
【００２１】
ケース５は、例えば乳白色の合成樹脂からなり、仕切り壁によって内部を区画することで反射部５１と、筒部５２とを有し、回路基板２の観察者側に配置されている。
【００２２】
表示板６は、例えば、透光性合成樹脂板にスクリーン印刷を施してなるもので、背景となる例えば黒色の遮光性の地部６１と、速度等を示す目盛や数字等の透光性の指標部６２とを有し、ケース５によって回路基板２上に支持されている。なお指標部６２は指針７の指示対象となる目盛、文字、マーク等を構成するものである。
【００２３】
指針７は、透光部材７１と、指針カバー７２と、輝度調整部材（輝度調整部）７３とで構成される。
【００２４】
透光部材７１は、例えば透明もしくは半透明の合成樹脂からなり、指示部７４と、基部７５とを有している。
【００２５】
指示部７４は、例えば無色透明なアクリル、ポリカーボネート等の光透過性である合成樹脂からなり、指標部６２を指示する。また、指示部７４の裏側、すなわち観察者とは反対側の面には、例えば赤色の箔によるホットスタンプ層７６が形成されている。
【００２６】
基部７５は、指針軸４１に連結される連結部を有すると共に、光源からの光を内部に導く受光部７４１と、前記受光部７４１に入射した光を前記指示部７４に側に反射させる指針反射部７４２とを有している。      
【００２７】
指針カバー７２は、例えば、カップ型の遮光性合成樹脂からなり、基部７５の周囲を覆っている。指針カバー７２の天面には、基部７５の観察者側表面を露出させ、指針カバー７２の内部まで指示部７４を延長させる切り欠き部７７が形成されている。
【００２８】
輝度調整部材７３は、例えばドーム型の半透過部材（暗色顔料を混入することで光透過率を所望値に調整した半透過性合成樹脂）からなり、切り欠き部７７から露出する指示部７４部分を含んで指針カバー７２の前記天面を覆うように装着されている。この輝度調整部材７３は、その厚みが基部７５側から先端側に向かうに従って小さくなるように変化するように構成されている。すなわち、指針７の回転中心軸線上が最も厚みが大きく、外側（指針７の先端）に向かって徐々に厚みが減少し、指針カバー７２の端部に対応する位置で厚みがゼロになるドーム型を有している。
【００２９】
前面カバー８は、例えば、半透過部材（輝度調整部材７３と同様の半透過性合成樹脂）からなり、表示板６及び指針７を覆っている。
【００３０】
このように構成される指針式表示装置において、光源３のうち、表示板６を照明するための光源３が点灯すると、その光は反射部５１を通じて表示板６を背後から照らし、光透過性の指標部６２を発光させる。この発光する指標部６２が前面カバーを通して視認される。
【００３１】
また指針７を照明するための光源３が点灯すると、その光は筒部５２を通じて指針の受光部７４１に至り、指針反射部７４２で反射され、指示部７４を発光させる。この発光する指示部７４が前面カバーを通して視認される。この際、指針７の観察者側には輝度調整部材７３が配置されているので、図３に示すように基部７５側から先端側に向かうに従って徐々に指示部７４の輝度が高くなるように調整される。
【００３２】
以上の通り、本実施形態による指針式表示装置は、光源３と、駆動源４に連結される基部７５側に光源３からの光を受光する受光部７４１を有し、受光部７４１からの光によって長手状に伸びる指示部７４が発光する指針７と、指示部７４によって指示される指標部６２を備えた表示板６と、を備えた指針表示装置において、指針７の観察者側に、基部７５側から先端側に向かうに従って指示部７４の輝度が高くなるように調整する輝度調整部材７３を備えていることにより、指示部７４の基部７５側の輝度が先端部に向かうに従って徐々に高くなるようにすることにより、指示部７４に斬新な見栄えを持たせることができ、指針７本体の指示部７４の光らせ方において、新規な見せ方を提供し、デザイン性、商品性に優れる指針式表示装置を提供することができる。
【００３３】
また本実施形態では、輝度調整部材７３は、基部７５側から先端側に向かうに従って厚みが小さくなるように変化する半透過部材からなることにより、暗色（例えば黒色）の背景中に基部側端部がフェードアウトするように発光する指針が視認されるため、より一層の斬新さを与えることができる。
【００３４】
また本実施形態では、前記発光指針及び前記表示板の前面側に半透過部材からなる前面カバーを備えていることにより、発光部以外の存在感を隠すことができ、それによって指示部の浮遊感を強調させることができ、有利である。
【００３５】
図４は本発明の第２の実施形態を示す断面図であり、本実施形態では、輝度調整部８１を前面カバー８に設けられたものである。このように構成したことにより、本発明の第１の実施形態と同等の効果が得られる。
【００３６】
図５は本発明の第３の実施形態を示す断面図であり、本実施形態では、指示部７４と輝度調整部材７３との間に指示部７４から出射し輝度調整部材７３に至る光の強度を調整する輝度調整層７３１と、輝度調整部材７３の観察者側に光源３からの出射光を拡散させる拡散部７３２を施したものである。輝度調整層７３１としては、例えば、ドットの密度を変化させて形成してなる網点層を適用でき、これにより輝度調整部に至る光を調節することにより、輝度調整部による輝度調整機能を補い、輝度変化の自由度を向上させることができる。また拡散部７３２としては、例えば、輝度調整部材７３の成形と同時に形成される細微な凹凸部を適用でき、これにより輝度調整部からの出射光を拡散させ、輝度変化を滑らかにすることができる。
【００３７】
また本実施形態では輝度調整部を指針カバーに対応する大きさとし、基部７５側のみを覆う場合を示したが、指示部７４をその全長に渡って覆うようにしてもよい。
【図面の簡単な説明】
【００３８】
【図１】本発明の第１実施形態を示す表示装置の正面図。
【図２】図１のＡ−Ａ断面図。
【図３】指示部の輝度勾配を示す説明図
【図４】本発明の第２実施形態を示す表示装置の正面図。
【図５】本発明の第３実施形態を示す表示装置の正面図。
【符号の説明】
【００３９】
１      裏カバー
２      回路基板
３      光源
４      駆動源
５      ケース
６      表示板
７      指針
８      前面カバー
４１    指針軸
５１    反射部
５２    筒部
６１    地部
６２    指標部
７１    透光部材
７２    指針カバー
７３    輝度調整部材
７４    指示部
７５    基部
７６    ホットスタンプ層
７７    切り欠き部
８１    輝度調整部
７３１  輝度調整層
７３２  拡散層
７４１  受光部
７４２  指針反射部
【図１】
2009052900.tif 000003
【図２】
2009052900.tif 000004
【図３】
2009052900.tif 000005
【図４】
2009052900.tif 000006
【図５】
2009052900.tif 000007